【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
シートの両面に印刷処理を行う両面印刷ジョブを実行する印刷装置であって、
両面印刷ジョブを入力する入力手段と、
前記入力手段により入力された前記両面印刷ジョブに基づいてシートに印刷処理を行う印刷手段と、
前記印刷手段にて印刷処理されたシートを反転させて前記印刷手段へ再搬送するための反転搬送手段と、
前記印刷手段にシートを給紙する給紙手段と、
前記印刷手段により印刷処理されたシートを積載するためのシート排出手段と、
前記印刷装置を制御する制御手段であって、シートの第１面に印刷処理した後に前記シートを前記反転搬送手段により反転させて前記シートの第２面に印刷処理する自動両面印刷モードと、シートの第１面に印刷処理して前記シート排出手段へ排出させた後に前記印刷装置のユーザにより前記給紙手段に積載された印刷処理済のシートを前記給紙手段から給紙して前記シートの第２面に印刷処理する手動両面印刷モードのいずれかで印刷処理を行うよう制御する制御手段とを有し、
前記制御手段は、前記両面印刷ジョブの全てのページが第１属性のシートに印刷すべきページである場合は前記両面印刷ジョブの印刷処理を前記自動両面印刷モードにて行い、前記両面印刷ジョブの全てのページが前記第１属性とは異なる第２属性のシートに印刷すべきページである場合及び前記両面印刷ジョブが前記第１属性のシートに印刷すべきページと前記第２属性のシートに印刷すべきページの双方を含む場合は前記両面印刷ジョブの印刷処理を前記手動両面印刷モードにて行うよう制御することを特徴とする印刷装置。 
【請求項２】
前記両面印刷ジョブが前記第１属性のシートに印刷すべきページと前記第２属性のシートに印刷すべきページの双方を含む場合、両面印刷ジョブを前記手動両面印刷モードにて印刷処理をさせるか否かを選択するための表示を行う表示手段を有し、
前記表示手段を介して前記両面印刷ジョブを前記手動両面印刷モードにて印刷処理することが選択された場合に、前記制御手段は、前記両面印刷ジョブの印刷処理を前記手動両面印刷モードにて行うよう制御することを特徴とする請求項１記載の印刷装置。 
【請求項３】
前記属性は、前記シートのタイプに関する属性であり、 
前記第２属性は、前記反転搬送手段によりシートを反転させることができないタイプを示す属性であることを特徴とする請求項１又は２に記載の印刷装置。
【請求項４】
前記属性は、前記シートのサイズに関する属性であり、
前記第２属性は、前記反転搬送手段によりシートを反転させることができないサイズを示す属性であることを特徴とする請求項１又は２に記載の印刷装置。
【請求項５】
前記両面印刷ジョブを前記手動両面印刷モードにて印刷処理させる場合に、前記シートの第１面に印刷処理するのに先立って、前記第１面に印刷処理がされたシートを前記給紙手段へ積載するときの積載方向を示す情報を出力する出力手段を有することを特徴とする請求項１乃至４のいずれか１項に記載の印刷装置。
【請求項６】
原稿の画像を読み取る画像読取手段を有し、
前記入力手段は、前記画像読取手段により読み取られた複数ページの画像データを前記両面印刷ジョブとして入力することを特徴とする請求項１乃至５のいずれか１項に記載の印刷装置。
【請求項７】
外部装置から送信される複数ページの画像データを受信する受信手段を有し、
前記入力手段は、前記受信手段が受信した複数ページの画像データを前記両面印刷ジョブとして入力することを特徴とする請求項１乃至５のいずれか１項に記載の印刷装置。
【請求項８】
シートの両面に印刷処理を行う両面印刷ジョブを実行する印刷装置における印刷方法であって、
前記両面印刷ジョブを入力する入力ステップと、
前記入力ステップにて入力された前記両面印刷ジョブに基づいてシートの両面に印刷処理を行う両面印刷ステップであって、シートの第１面に印刷処理した後に前記シートを両面搬送機構により反転させて前記シートの第２面に印刷処理を行う自動両面印刷ステップと、
前記両面印刷ジョブに基づいてシートの両面に印刷処理を行う両面印刷ステップであって、シートの第１面に印刷処理して前記印刷装置のシート排出部に排出させた後に前記印刷装置のユーザにより給紙部に積載された印刷処理済みのシートを前記給紙部から給紙して前記シートの第２面に印刷処理を行う手動両面印刷ステップと、
前記両面印刷ジョブの全てのページが第１属性のシートに印刷すべきページである場合は前記両面印刷ジョブの印刷処理を前記自動両面印刷ステップにて行い、前記両面印刷ジョブの全てのページが前記第１属性とは異なる第２属性のシートに印刷すべきページである場合及び前記両面印刷ジョブが前記第１属性のシートに印刷すべきページと前記第２属性のシートに印刷すべきページの双方を含む場合は前記両面印刷ジョブの印刷処理を前記手動両面印刷ステップにて行うよう制御する制御ステップとを有することを特徴とする印刷方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記目的を達成するために、本発明の印刷装置は、シートの両面に印刷処理を行う両面印刷ジョブを実行する印刷装置であって、両面印刷ジョブを入力する入力手段と、前記入力手段により入力された前記両面印刷ジョブに基づいてシートに印刷処理を行う印刷手段と、前記印刷手段にて印刷処理されたシートを反転させて前記印刷手段へ再搬送するための反転搬送手段と、前記印刷手段にシートを給紙する給紙手段と、前記印刷手段により印刷処理されたシートを積載するためのシート排出手段と、前記印刷装置を制御する制御手段であって、シートの第１面に印刷処理した後に前記シートを前記反転搬送手段により反転させて前記シートの第２面に印刷処理する自動両面印刷モードと、シートの第１面に印刷処理して前記シート排出手段へ排出させた後に前記印刷装置のユーザにより前記給紙手段に積載された印刷処理済のシートを前記給紙手段から給紙して前記シートの第２面に印刷処理する手動両面印刷モードのいずれかで印刷処理を行うよう制御する制御手段とを有し、前記制御手段は、前記両面印刷ジョブの全てのページが第１属性のシートに印刷すべきページである場合は前記両面印刷ジョブの印刷処理を前記自動両面印刷モードにて行い、前記両面印刷ジョブの全てのページが前記第１属性とは異なる第２属性のシートに印刷すべきページである場合及び前記両面印刷ジョブが前記第１属性のシートに印刷すべきページと前記第２属性のシートに印刷すべきページの双方を含む場合は前記両面印刷ジョブの印刷処理を前記手動両面印刷モードにて行うよう制御することを特徴とする。 
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、本発明の印刷方法は、シートの両面に印刷処理を行う両面印刷ジョブを実行する印刷装置における印刷方法であって、前記両面印刷ジョブを入力する入力ステップと、前記入力ステップにて入力された前記両面印刷ジョブに基づいてシートの両面に印刷処理を行う両面印刷ステップであって、シートの第１面に印刷処理した後に前記シートを両面搬送機構により反転させて前記シートの第２面に印刷処理を行う自動両面印刷ステップと、前記両面印刷ジョブに基づいてシートの両面に印刷処理を行う両面印刷ステップであって、シートの第１面に印刷処理して前記印刷装置のシート排出部に排出させた後に前記印刷装置のユーザにより給紙部に積載された印刷処理済みのシートを前記給紙部から給紙して前記シートの第２面に印刷処理を行う手動両面印刷ステップと、前記両面印刷ジョブの全てのページが第１属性のシートに印刷すべきページである場合は前記両面印刷ジョブの印刷処理を前記自動両面印刷ステップにて行い、前記両面印刷ジョブの全てのページが前記第１属性とは異なる第２属性のシートに印刷すべきページである場合及び前記両面印刷ジョブが前記第１属性のシートに印刷すべきページと前記第２属性のシートに印刷すべきページの双方を含む場合は前記両面印刷ジョブの印刷処理を前記手動両面印刷ステップにて行うよう制御する制御ステップとを有することを特徴とする。
【手続補正６】
【補正対象書類名】明細書
【補正対象項目名】００１１
【補正方法】変更
【補正の内容】
【００１１】
本発明によれば、両面印刷ジョブの全てのページが第１属性のシートに印刷すべきページである場合は自動両面印刷モードにて印刷処理させ、両面印刷ジョブの全てのページが第２属性のシートに印刷すべきページである場合及び両面印刷ジョブが第１属性のシートに印刷すべきページと第２属性のシートに印刷すべきページの双方を含む場合は手動両面印刷モードにて印刷処理させるので、両面印刷ジョブにて用いるシートの属性に応じて適切なモードにて両面印刷を実行する印刷装置及び印刷方法を提供することができる。
【手続補正７】
【補正対象書類名】明細書
【補正対象項目名】００１２
【補正方法】削除
【補正の内容】